(57)【特許請求の範囲】
【請求項１】
包装袋の天シール部に貫通する切込みにより摘み部を設け、前記摘み部より収納部寄りの前記天シール部の片側のフィルムに、引裂停止部を設けて成り、
前記引裂停止部が、前記片側のフィルムを切断したカット線または前記片側のフィルムを貫通する複数のキズで構成されていることを特徴とする包装袋。
【請求項２】
前記包装袋を構成する前記フィルムが、基材層とシーラント層からなり、
前記基材層が、前記天シール部からその対向する端縁の方向に切れやすいフィルムからなることを特徴とする請求項１に記載の包装袋。
【請求項３】
前記包装袋を構成する前記フィルムが、基材層とシーラント層からなり、
該シーラント層どうしで熱シールした時に、該シーラント層どうしが剥離可能であることを特徴とする請求項１または２に記載の包装袋。
【発明の詳細な説明】
【技術分野】
【０００１】
本発明は、包装袋に関するものである。
【背景技術】
【０００２】
従来より、包装袋の開封を容易とするために、さまざまな工夫がなされてきた。例えば包装袋のシール部にノッチを設けてノッチから引き裂いて包装袋の一辺を切り取り、開封することが、一般的に行われている。
【０００３】
包装袋に一辺を切り取り開封するとき、袋サイズに余裕が無い場合には、内容物の形状の影響を受けて開封方向が外側に曲がって袋を縦断する開封が出来ないで、内容物の取り出しに必要な開口部が得られない。あるいは、開封方向が内側に曲がり、開封時にかかる応力に負けて内容物が変形するといった不具合を生じることがあった。
【０００４】
例えば、脆くて壊れやすい内容物、例えば、わらかくて脆い洋菓子や、硬くて脆いビスケットなどを収納する包装袋では、内容物を傷つけずに、容易に、かつ安定して開封できる包装袋が求められている。
【０００５】
そこで、開封予定線にハーフカット線を設けて、ハーフカット線を引き裂いて開封することも行われている。しかしこの場合でも、開封時に引き裂いた勢いで内容物が包装袋から落下してしまう恐れがあった。
【０００６】
その点を改良したものでは、ピロータイプの包装袋などで、合掌貼りされた背シール部の付け根に沿ってハーフカット線を設けて、ハーフカット線を引き裂くことによって、包装袋を開封する包装袋がある（例えば、特許文献１）。ただ、この袋は合掌貼りされた背シール部を有するピロータイプなどの包装袋に限定される。
【０００７】
また、胴部を開口する包装袋としては、包装袋に孔部を形成し、この孔部の内周面を小片で覆い、溶着させた包装袋があった。これを開封するのに、小片を孔部の内周面から引き離すことによって、孔部を開くことができ、この包装袋を構成する層の一部に引き裂きに方向性のあるフィルムを用いることによって、孔部から包装袋の胴部を引き裂いて開封できる包装袋も提案されている（特許文献２）。
【０００８】
公知文献を以下に示す。
【先行技術文献】
【特許文献】
【０００９】
【特許文献１】特開２００９−１８８２２号公報
【特許文献２】特開平９−３２３７６６号公報
【発明の概要】
【発明が解決しようとする課題】
【００１０】
しかし、上記の包装袋では、合掌貼りの背シール部を有する包装袋に限定される、または、小片を取り付けなければならない、引き裂きが容易にできるか、などの問題がある。
【００１１】
本発明は上記した事情に鑑みてなされたもので、内容物を傷つけることなく、容易に開封でき、開封時に内容物が包装袋から落下しにくい包装袋を提供することを課題としている。
【課題を解決するための手段】
【００１２】
本発明の請求項１に係る発明は、包装袋の天シール部に貫通する切込みにより摘み部を設け、前記摘み部より収納部寄りの前記天シール部の片側のフィルムに、引裂停止部を設けて成り、前記引裂停止部が、前記片側のフィルムを切断したカット線または前記片側のフィルムを貫通する複数のキズで構成されていることを特徴とする包装袋である。
【００１３】
本発明の包装袋は、以上のような構成であって、摘み部を持って引き裂くことによって、引裂停止部で片側のフィルムはこれ以上引き裂かれず、反対側のフィルムのみ帯状に引き裂かれて、内容物を傷つけることなく、容易に開封でき、開封時に内容物が包装袋から落下しにくい。
【００１４】
本発明の請求項２に係る発明は、前記包装袋を構成する前記フィルムが、基材層とシーラント層からなり、
前記基材層が、前記天シール部からその対向する端縁の方向に切れやすいフィルムからなることを特徴とする請求項１に記載の包装袋である。
【００１５】
本発明はさらに、基材層が、前記天シール部からその対向する端縁の方向に切れやすいフィルムからなっているので、天シール部からその対向する端縁の方向に引き裂くとき、容易に帯状に引き裂くことができる。
【００１６】
本発明の請求項３に係る発明は、前記包装袋を構成する前記フィルムが、基材層とシーラント層からなり、
該シーラント層どうしで熱シールした時に、該シーラント層どうしが剥離可能であることを特徴とする請求項１または２に記載の包装袋である。
【００１７】
本発明は、また、シーラント層どうしで熱シールした時に、該シーラント層どうしが剥離可能であるので、引裂停止部で片側のフィルムはこれ以上引き裂かれず、片側のフィルムと反対側のフィルムが剥離して、反対側のフィルムのみが帯状に引き裂かれて、容易に開封することができる。
【発明の効果】
【００１８】
本発明の包装袋は、内容物を傷つけることなく、容易に開封でき、開封時に内容物が包装袋から落下する恐れがすくない。
【図面の簡単な説明】
【００１９】
【図１】本発明の包装袋の一例を平面で模式的に示した説明図である。
【図２】図１のＡ−Ａで切断した断面を模式的に示した説明図である。
【図３】本発明の包装袋の一例を開封した状態を平面で模式的に示した説明図である。
【図４】本発明の包装袋の一例を開封した状態を断面で模式的に示した説明図である。（Ａ）は、摘み部を持って持ち上げた状態を示した説明図である。（Ｂ）は、さらに摘み部を持ち上げて、開封する状態を示した説明図である。
【発明を実施するための形態】
【００２０】
以下本発明を実施するための形態につき説明する。
図１は、本発明の包装袋の一例を平面で模式的に示した説明図、図２は、図１のＡ−Ａで切断した断面を模式的に示した説明図である。
【００２１】
本例の包装袋１００は、２枚のフィルム１１ａ、１１ｂを重ね合わせ、天シール部１とその対向する端縁に地シール部２を設け、天シール部１と地シール部２の間の両端縁にそれぞれ、サイドシール部３、４を設けた４方シール袋である。
【００２２】
天シール部１には、貫通する切込み５により摘み部６が設けられていて、摘み部６より収納部７寄りの前記天シール部１の片側のフィルム１１ｂに、引裂停止部８として片側のフィルム１１ｂを切断したカット線が設けられている。
【００２３】
包装袋１００は、基材層９ａ、９ｂとシーラント層１０ａ、１０ｂからなる２枚のフィルム１１ａ、１１ｂがシーラント層１０ａ、１０ｂどうしを対向して重ね合わされて、その周縁部が天シール部１と地シール部２とサイドシール部３、４によって密封され、シール部で囲まれた収納部７が形成されている。
【００２４】
図３は、本発明の包装袋１００の一例を開封した状態を平面で模式的に示した説明図、図４は、本発明の包装袋１００の一例を開封した状態を断面で模式的に示した説明図である。図４の（Ａ）は、摘み部６を持って持ち上げた状態を示した説明図である。（Ｂ）は、さらに摘み部６を持ち上げて、開封する状態を示した説明図である。
【００２５】
図３のように、内容物１２が包装された包装袋１００は、天シール部１の摘み部６を持ち上げ、さらに天シール部１に対向する端縁の地シール部２の方向へ引っ張って行くと、摘み部６から引裂停止部８のカット線までは２枚のフィルム１１ａ、１１ｂが帯状に切れていく。
【００２６】
引裂停止部８のカット線で、片側のフィルム１１ｂは切断が途切れ、その後は、反対面のフィルム１１ａのみが、片側のフィルム１１ｂと剥離して、帯状に切れて行き、地シール部２に到り、帯状に切り取られ、反対面のフィルム１１ａに開口部１３が形成される。
【００２７】
図４（Ａ）のように、まず、摘み部６を持ち上げる。さらに引っ張って行き、帯状に切っていくと、図４の（Ｂ）のように、引裂停止部８のカット線で片側のフィルム１１ｂは帯状の切断が途切れる。この引裂停止部８のカット線からは、反対面のフィルム１１ａのみが、片側のフィルム１１ｂと剥離して、帯状に切断されていき、図３のように、天シール部１の摘み部６からその対向する端縁の地シール部２のまで切り取られ、開封されて開口部１３が開けられる。
【００２８】
本発明の包装袋１００に用いるフィルム１１ａ、１１ｂは、基材層９ａ、９ｂとシーラント層１０ａ、１０ｂからなる。
【００２９】
基材層９ａ、９ｂには、プラスチックフィルムが主に用いられる。用いるプラスチックフィルムとしては、ポリエチレン、ポリプロピレンなどのポリオレフィン、ポリエチレンテレフタレート、ポリブチレンテレフタレート、ポリエチレンナフタレートなどのポリエステル、ナイロン−６、ナイロン−６６、ＭＸＤナイロンなどのポリアミド、さらにはこれらの共重合体の１軸延伸あるいは２軸延伸のフィルムが使用できる。
【００３０】
これらのプラスチックフィルムには、必要に応じて、公知の可塑剤、酸化防止剤、滑剤、帯電防止剤、紫外線吸収剤などの添加物を加えることができる。
【００３１】
これらのプラスチックフィルムを単層であるいはこれらを組み合わせた多層で基材層９ａ、９ｂとして用いることができる。さらに、多層としてこれらプラスチックフィルムに、アルミニウム箔や紙を積層したものを基材層９ａ、９ｂとしても良い。また、無機酸化物蒸着層あるいはアルミニウム蒸着層を設けたプラスチックフィルムを用いても良い。
【００３２】
基材層９ａ、９ｂには、切れやすさに方向性のあるプラスチックフィルムを少なくとも１層設けられていることが好ましい。切れやすさに方向性のあるプラスチックフィルムと
しては、１軸延伸したプラスチックフィルム、延伸倍率を縦横で異なるように延伸した２軸延伸したプラスチックフィルムがあげられる。
【００３３】
このプラスチックフィルムの切れやすい方向を、包装袋１００の天シール部１からその対向する端縁の地シール２の方向に合わせて製袋することによって、天シール部１からその対向する端縁の地シール２の方向に引き裂くとき、容易に帯状に引き裂くことができる。
【００３４】
シーラント層１０ａ、１０ｂには、ポリエチレン、ポリプロピレン、エチレン共重合体、飽和ポリエステルなどの熱溶融性樹脂が使用できる。ただし、シーラント層１０ａ、１０ｂどうしで熱シールした時に、シーラント層１０ａ、１０ｂどうしが剥離可能であることが好ましい。
【００３５】
このように剥離可能に熱シールできるシーラント層１０ａ、１０ｂとしては、互いに非相溶性樹脂あるいは難相溶性の樹脂を混合して、海島構造の樹脂を用いるのが好ましい。このようなものとしては、ポリエチレンにポリブテン−１やポリスチレンを樹脂ブレンドした混合樹脂がある。この混合樹脂の混合比や製膜条件などを制御して、シール強度（剥離強度）をコントロールすることができる。
【００３６】
尚、基材層９ａ、９ｂのシーラント層１０ａ、１０ｂとの貼り合わる面側は、表面処理されていることが好ましい。表面処理は、通常コロナ処理を行うが、これに限ることは無く、接着しやすくなるように処理を行えばよい。
【００３７】
また、基材層９ａ、９ｂには、絵柄印刷層を設けても良い。絵柄印刷層は、基材層９ａ、９ｂの裏面（シーラント層１０ａ、１０ｂとの貼り合わる面）に設けても良いし、場合によっては表面に設けても良い。絵柄印刷層は、グラビア印刷や、フレキソ印刷、あるいは場合によってはシルク印刷で設けることができる。また、表面にマットニス層やグロスニス層を設けても良い。
【００３８】
基材層９ａ、９ｂとシーラント層１０ａ、１０ｂの貼り合わせは、特に限定されない。基材層９ａ、９ｂの裏面に接着剤を塗布して、フィルム状のシーラント層１０ａ、１０ｂをドライラミネートで貼り合わせても良いし、基材層９ａ、９ｂの裏面にアンカーコート剤を塗布して、シーラント層１０ａ、１０ｂになる樹脂を、Ｔ型ダイスより溶融状態で押出して、製膜しながら貼り合わせる押出ラミネートで行っても良い。
【００３９】
本例の包装袋１００は、４方シール袋であるが、４方シール袋に限定されるものではない。背シール部を有するピロータイプの袋でも良い。また、ピロー袋の背シール部を片側に寄せた背シール袋でも良い。また、３方シール袋でも良いし、サイドガゼット部を設けたガゼット袋としても良い。
【００４０】
摘み部６の形状は、包装袋１００では円形の天シール部１と対向する端縁の方向が欠けて、天シール部１と対向する端縁の方向が開いた形状としているがこれに限ることは無い。天シール部１と対向する端縁の方向が開いた、コの字や、Ｕの字の形状としても良い。要は天シール部１の端縁側から左右に開いて、天シール部１と対向する端縁の方向が開いた形状の貫通する切込み５により摘み部６が設けられていれば良い。また、流通上などで、摘み部６が浮き上がって引っ掛からないように、途中に切断されていない、手で引っ張ったときに切れる、短いつなぎ部があっても良い。
【００４１】
摘み部６を設けるには、天シール部１をシールした後に、パンチング装置などで、天シール部１に２枚のフィルム１１ａ、１１ｂを貫通する切込み５を設けて摘み部６とすればよい。これは製袋機上であるいは製袋後に行えばよく、製袋機にパンチング装置を取り付けて行うことで、製造上工程が簡略化できる。
【００４２】
また、引裂停止部８として、包装袋１００では、片側のフィルム１１ｂを切断したカット線としたが、カット線は、直線状に設けても良いし、点線状、破線状、あるいは、ミシン目状に設けても良い。
【００４３】
また、サイドシール部３からサイドシール部４にかけて設けているが、開封するときに、摘み部６を持って帯状に引き裂いていくときに、引き裂かれた帯状の幅を外れない範囲に設ければよい。また、１本に限らず複数のカット線を並列させて設けても良い。
【００４４】
引裂停止部８として、片側のフィルム１１ｂを切断したカット線以外に、複数のキズを片側のフィルム１１ｂを貫通する程度設けても良い。摘み部６を持って帯状に引き裂いていくときに、引裂停止部８で片側のフィルム１１ｂの引き裂きが、途切れるようになればよい。
【００４５】
引裂停止部８を設ける方法は、直線状にサイドシール部３からサイドシール部４にかけて設ける場合には、カミソリや丸刃などで連続して設けることができる。この場合は、製袋機上でフィルム１１ｂを巻き出した後、フィルム１１ａと重ねる前に設けることが工程上好ましい。
【００４６】
また、部分的に直線状のカット線を向ける場合、あるいは、点線状、破線状、ミシン目状のカット線を設ける場合は、カット刃を表面に設けたカット用ロールと、それに対応する受ロールの間に、フィルム１１ｂを通すことによって、引裂停止部８を設けることができる。この加工は、製袋機上で行うこともできるが、基材層９ｂとシーラント層１０ｂを貼り合わせた後で、製袋前に行うことが好ましい。
【００４７】
引裂停止部８として、片側のフィルム１１ｂに、複数のキズを片側のフィルム１１ｂを貫通する程度設けるには、カット刃の変わりに、ダイヤモンドを埋め込むなどして表面に細かい突起を形成させたキズ加工ロールと、それに対応する受ロールの間に、フィルム１１ｂを通すことによって、引裂停止部８を設けることができる。
【００４８】
このキズ加工もまた、製袋機上で行うこともできるが、基材層９ｂとシーラント層１０ｂを貼り合わせた後で、製袋前に行うことが好ましい。また、ラミネーター上で、貼り合わせ後、キズ加工を行っても良い。
【符号の説明】
【００４９】
１００・・・包装袋
１・・・天シール部
２・・・地シール部
３、４・・・サイドシール部
５・・・切込み
６・・・摘み部
７・・・収納部
８・・・引裂停止部
９ａ、９ｂ・・・基材層
１０ａ、１０ｂ・・・シーラント層
１１ａ、１１ｂ・・・フィルム
１２・・・内容物
１３・・・開口部
【図１】
0005659682.tif 000002
【図２】
0005659682.tif 000003
【図３】
0005659682.tif 000004
【図４】
0005659682.tif 000005